(57)【要約】【課題】  携帯情報端末のグランド電位が安定している状況と不安定である状況のいずれであっても、タッチパネルに対するタッチ操作を判別可能にすることを目的とする。【解決手段】  タッチ操作を検出するための静電容量方式のタッチパネル１１と、外部端子１５に外部機器が接続されているか否かを外部接続状態ｄ１として判別する接続状態判別部５１と、加速度を検出するための加速度センサ５２と、加速度に基づいて、ユーザが携帯しているか否かを携帯状態ｄ２として判別する携帯状態判別部５３と、外部接続状態ｄ１及び携帯状態ｄ２に基づいてタッチパネル１１の検出感度を調整する感度調整部５４とを備える。このため、外部接続状態ｄ１及び携帯状態ｄ２に基づいて、グランド電位の安定度を推定し、タッチパネル１１の感度調整を行うことができる。【選択図】  図８
2014002547.tif 000002
【特許請求の範囲】
【請求項１】
タッチ操作を検出するための静電容量方式のタッチパネルと、
加速度を検出するための加速度センサと、
上記加速度に基づいて、ユーザが携帯しているか否かを携帯状態として判別する携帯状態判別手段と、
上記携帯状態に基づいて、上記タッチパネルの検出感度を調整する感度調整手段とを備えたことを特徴とする携帯情報端末。
【請求項２】
上記携帯状態判別手段は、上記加速度を状態判別閾値と比較した比較結果に基づいて、上記携帯状態を判別することを特徴とする請求項１に記載の携帯情報端末。
【請求項３】
外部機器が着脱可能に接続される外部端子と、
上記外部端子に上記外部機器が接続されているか否かを外部接続状態として判別する接続状態判別手段とを備え、
上記感度調整手段は、上記携帯状態及び上記外部接続状態に基づいて、上記タッチパネルの検出感度を調整することを特徴とする請求項１又は２に記載の携帯情報端末。
【請求項４】
上記感度調整手段は、ユーザが携帯し、あるいは、上記外部機器が接続されている場合における上記検出感度に比べて、ユーザが携帯しておらず、かつ、上記外部機器が接続されていない場合における上記検出感度の方が高くなるように、上記検出感度を調整することを特徴とする請求項３に記載の携帯情報端末。
【請求項５】
上記タッチパネルは、送信電極及び受信電極間の静電容量を取得する容量取得手段と、
上記容量取得手段により取得された上記静電容量の変化量を検出値として求める変化量算出部と、
上記検出値を検出閾値と比較し、ユーザ操作を検出する操作検出手段とを備え、
上記感度調整手段は、上記検出閾値を指定することにより感度調整を行うことを特徴とする請求項１〜４のいずれかに記載の携帯情報端末。
【請求項６】
タッチ操作を検出するためのタッチパネルと、外部機器が着脱可能に接続される外部端子と、加速度センサとを備えた携帯情報端末の制御方法において、
上記加速度センサを用いて加速度を求める加速度検出ステップと、
上記加速度に基づいて、ユーザが携帯しているか否かを携帯状態として判別する携帯状態判別ステップと、
上記外部端子に上記外部機器が接続されているか否かを外部接続状態として判別する接続状態判別ステップと、
上記携帯状態及び上記外部接続状態に基づいて、上記タッチパネルの検出感度を調整する感度調整ステップとを備えたことを特徴とする携帯情報端末の制御方法。
【発明の詳細な説明】
【技術分野】
【０００１】
本発明は、携帯情報端末及びその制御方法に係り、更に詳しくは、タッチパネルを有する携帯情報端末の改良に関する。
【背景技術】
【０００２】
携帯電話機、タブレット型コンピュータなどの携帯情報端末は、タッチパネルを備えているものが少なくない。タッチパネルには、様々な検出方式のものが知られているが、最近の携帯情報端末では、静電容量方式のタッチパネルを採用しているものが多い。
【０００３】
静電容量方式のタッチパネルは、検出電極に対しユーザの指を近づけたときに生じる静電容量の変化を検出することにより、タッチパネルに対するユーザ操作を検出している。例えば、静電容量の変化量を検出値として取得し、この検出値を検出閾値と比較することにより、ユーザ操作の有無を判別している。このようなタッチパネルは、グランド電位が不安定になると、ユーザ操作時に取得できる検出値が小さくなり、グランド電位が安定している場合には検出できたユーザ操作を正しく検出することができなくなるという問題があった。
【０００４】
ここで、ＰＣのような据置型情報端末の場合であれば、その動作時に商用電源が供給されているため、電源ケーブルを介して大地にアースされ、内部回路のグランド電位は安定している。また、携帯情報端末の場合であっても、ＵＳＢケーブルや電源ケーブルなどを介して外部機器に接続された状態であれば、これらの導電性ケーブルを介して大地にアースされ、内部回路のグランド電位は安定している。さらに、導電性ケーブルが接続されていない携帯情報端末であっても、通常の使用状態であれば、ユーザが一方の手で筐体を把持し、他方の手でタッチパネルを操作するため、上記一方の手を介してアースされており、内部回路のグランド電位は安定している。
【０００５】
しかしながら、机上に放置された携帯情報端末のように、外部装置に接続されておらず、かつ、ユーザが把持していない状態の携帯情報端末は、どこにもアースされておらず、内部回路のグランド電位が不安定になっている。このような携帯情報端末のタッチパネルに対しタッチ操作が行われた場合、ユーザ操作を正しく検出することができないという問題があった。
【０００６】
そこで、タッチパネルの検出感度を調整することにより、グランド電位が不安定であってもユーザ操作を検出可能にすることが考えられる。タッチパネルの検出感度を調整することができる携帯情報端末は、従来から知られている（例えば、特許文献１，２）。
【０００７】
特許文献１の携帯情報端末では、複数の閾値候補の中からユーザが選択した値を検出閾値として用いることにより、感度調整が行われている。つまり、特許文献１における感度調整はユーザの設定操作によって実現されるものであり、自動化されておらず、煩雑であるという問題がある。また、一旦、タッチパッドの検出精度が低下し、ユーザ操作が認識できなくなれば、感度調整を行うことができなくなるという問題があった。
【０００８】
特許文献２の携帯情報端末は、タッチ操作を検出すると、検出感度を大きくすることにより、移動を伴うタッチ操作があった場合に、その開始時における検出感度と、その後の移動中における検出感度とを異ならせている。特許文献２における感度調整は、押圧力を静電容量に変換して検出するＰｒｅｓｓｅｄ−Ｃａｐ方式のタッチパネルに特有の課題、つまり、移動を伴うタッチ操作の検出値が、移動を伴わないタッチ操作の検出値よりも小さくなるという特有の課題を解決するためのものであり、携帯情報端末におけるグランド電位の安定度に応じて、感度調整を行うものではない。
【先行技術文献】
【特許文献】
【０００９】
【特許文献１】特開２０１０−２６８３３号公報
【特許文献２】特開２０１１−１２８７５４号公報
【発明の概要】
【発明が解決しようとする課題】
【００１０】
本発明は、上記の事情に鑑みてなされたものであり、携帯情報端末の使用状態にかかわらず、タッチパネルに対するタッチ操作を判別可能にすることを目的とする。また、グランド電位が不安定な状況であっても、タッチパネルに対するタッチ操作を判別可能にすることを目的とする。特に、グランド電位が安定している状況と不安定である状況のいずれであっても、タッチパネルに対するタッチ操作を判別可能にすることを目的とする。
【課題を解決するための手段】
【００１１】
第１の本発明による携帯情報端末は、タッチ操作を検出するための静電容量方式のタッチパネルと、加速度を検出するための加速度センサと、上記加速度に基づいて、ユーザが携帯しているか否かを携帯状態として判別する携帯状態判別手段と、上記携帯状態に基づいて上記タッチパネルの検出感度を調整する感度調整手段とを備えて構成される。
【００１２】
一般に、ユーザが携帯している携帯情報端末は、人体を介してアースされ、グランド電位が安定している。このため、加速度センサが測定した加速度に基づいて、ユーザが携帯しているか否かを判別すれば、グランド電位の安定度を推定することができる。従って、この判別結果に基づいて、タッチパネルの検出感度を調整すれば、グランド電位の安定度にかかわらず、タッチパネルに対するタッチ操作を適切に検出することができる。
【００１３】
第２の本発明による携帯情報端末は、上記構成に加えて、上記携帯状態判別手段が、上記加速度を状態判別閾値と比較した比較結果に基づいて、上記携帯状態を判別するように構成される。
【００１４】
この様な構成により、ユーザが携帯情報端末を携帯しているか否かを容易に判別することができる。
【００１５】
第３の本発明による携帯情報端末は、上記構成に加えて、外部機器が着脱可能に接続される外部端子と、上記外部端子に上記外部機器が接続されているか否かを外部接続状態として判別する接続状態判別手段とを備え、上記感度調整手段は、上記携帯状態及び上記外部接続状態に基づいて、上記タッチパネルの検出感度を調整するように構成される。
【００１６】
一般に、外部機器に接続された携帯情報端末は、当該外部機器を介してアースされ、グランド電位が安定している。このため、外部端子に外部機器が接続されているか否かを判別し、この判別結果に基づいて、タッチパネルの検出感度を調整すれば、グランド電位の安定度にかかわらず、タッチパネルに対するタッチ操作を適切に検出することができる。特に、携帯状態及び外部接続状態に基づいて、タッチパネルの検出感度を調整すれば、タッチパネルに対するタッチ操作を更に適切に検出することができる。
【００１７】
第４の本発明による携帯情報端末は、上記構成に加えて、上記感度調整手段が、ユーザが携帯し、あるいは、上記外部機器が接続されている場合における上記検出感度に比べて、ユーザが携帯しておらず、かつ、上記外部機器が接続されていない場合における上記検出感度の方が高くなるように、上記検出感度を調整する。
【００１８】
このような構成により、グランド電位が安定している場合における検出感度に比べて、グランド電位が不安定な場合における検出感度を高くすることができる。従って、グランド電位の安定度にかかわらず、タッチパネルに対するタッチ操作を適切に検出することができる。
【００１９】
第５の本発明による携帯情報端末は、上記構成に加えて、上記タッチパネルは、送信電極及び受信電極間の静電容量を取得する容量取得手段と、上記容量取得手段により取得された上記静電容量の変化量を検出値として求める変化量算出部と、上記検出値を検出閾値と比較し、ユーザ操作を検出する操作検出手段とを備え、上記感度調整手段は、上記検出閾値を指定することにより感度調整を行うように構成される。この様な構成により、感度調整を容易に実現することができる。
【００２０】
第６の本発明による携帯情報端末の制御方法は、タッチ操作を検出するためのタッチパネルと、外部機器が着脱可能に接続される外部端子と、加速度センサとを備えた携帯情報端末の制御方法において、上記加速度センサを用いて加速度を求める加速度検出ステップと、上記加速度に基づいて、ユーザが携帯しているか否かを携帯状態として判別する携帯状態判別ステップと、上記外部端子に上記外部機器が接続されているか否かを外部接続状態として判別する接続状態判別ステップと、上記携帯状態及び上記外部接続状態に基づいて、上記タッチパネルの検出感度を調整する上記感度調整ステップとを備えて構成される。
【発明の効果】
【００２１】
本発明による携帯情報端末は、加速度センサが測定した加速度に基づいて、ユーザが携帯しているか否かを判別し、この判別結果に基づいてタッチパネルの検出感度を調整する。このため、ブランド電位の安定度に応じて、タッチパネルの検出感度を調整することができ、グランド電位の安定度にかかわらず、タッチパネルに対するタッチ操作を適切に検出することができる。
【００２２】
また、本発明による携帯情報端末は、外部端子に外部機器が接続されているか否かを判別し、この判別結果に基づいて、タッチパネルの検出感度を調整する。このため、ブランド電位の安定度に応じて、タッチパネルの検出感度を調整することができ、グランド電位の安定度にかかわらず、タッチパネルに対するタッチ操作を適切に検出することができる。
【００２３】
また、本発明による携帯情報端末は、携帯状態及び外部接続状態に基づいて、タッチパネルの検出感度を調整する。このため、タッチパネルに対するタッチ操作を更に適切に検出することができる。
【００２４】
この様にして、本発明による携帯情報端末は、携帯状態、外部接続状態などの携帯情報端末の使用状態にかかわらず、タッチパネルに対するタッチ操作を判別することができる。また、グランド電位が不安定な状況であっても、タッチパネルに対するタッチ操作を判別することができる。特に、グランド電位が安定している状況と不安定である状況のいずれであっても、タッチパネルに対するタッチ操作を判別することができる。
【図面の簡単な説明】
【００２５】
【図１】発明の実施の形態による携帯電話機１の使用状態の一例を示した図であり、ユーザにより把持されている状態が示されている。
【図２】図１の携帯電話機１の使用状態の他の例を示した図であり、机上に放置されている状態が示されている。
【図３】図１の携帯電話機１の使用状態の他の例を示した図であり、充電中の状態が示されている。
【図４】本発明の実施の形態による感度調整処理の一例を示したフローチャートである。
【図５】本実施の形態による感度調整処理に関する状態遷移図である。
【図６】タッチパネル１１におけるタッチ操作の検出原理を模式的に示した説明図である。
【図７】タッチパネル１１のグランド電位と検出値との関係を説明するための説明図である。
【図８】携帯電話機１の内部構成の要部について一例を示した機能ブロック図である。
【発明を実施するための形態】
【００２６】
図１〜図３は、本発明の実施の形態による携帯情報端末の使用状態の一例を示した図である。ここでは、携帯情報端末の一例として、タッチパネルを備えた携帯電話機１が、それぞれ示されている。
【００２７】
携帯電話機１は、略矩形の操作面を有する薄板形状の筐体１０からなり、上記操作面には、タッチパネル１１、レシーバ１２、マイクロフォン１３及び操作キー１４が配置されている。また、筐体１０の端面には、外部端子１５が設けられている。
【００２８】
タッチパネル１１は、上記操作面上に配置された表示面を備え、上記表示面上に画像を表示するとともに、上記表示面に対するユーザのタッチ操作を検出している。レシーバ１２及びマイクロフォン１３は、通話用の音声入出力装置である。また、操作キー１４は、ユーザの押下操作を検出するハードキーである。
【００２９】
タッチパネル１１の表示面には、文字、アイコン、ピクトグラムなどの表示オブジェクトを表示することができる。これらの表示オブジェクトの表示領域に対し、ユーザが指やペンなどの接触子を接触させるタッチ操作を行うことにより、任意の表示オブジェクトを選択することができる。
【００３０】
外部端子１５は、図示しない外部機器を着脱可能に接続するための端子である。例えば、電源ケーブルを接続することにより内部電池を充電することができる。また、通信ケーブルを接続することにより、ＰＣなどの他の情報端末との間でデータ通信を行うことができる。さらに、電源ケーブル及び通信ケーブルの機能をともに有するＵＳＢケーブルを用いて、他の情報端末と接続することにより、充電とデータ通信とを同時に行うこともできる。
【００３１】
図１は、ユーザにより把持されている状態の携帯電話機１が示されている。タッチパネル１１に対する操作は、通常、タッチパネルに触れないように一方の手で筐体１０を把持しつつ、他方の手でタッチパネル１１に触れることによって行われる。例えば、右利きのユーザであれば、左手で筐体１０を保持しながら、右手でタッチパネル１１を操作することになる。このとき、携帯電話機１の筐体は、ユーザの左手を介して、大地にアースされている。このため、携帯電話機１のグランド電位は安定している。
【００３２】
図２は、机上に放置されている状態の携帯電話機１が示されている。ここでは、操作面を上に向けて、携帯電話機１が机上に放置されているため、ユーザは、この状態のままでタッチパネル１１を操作することができる。しかしながら、机上に放置されている携帯電話機１は、人体を介して大地にアースされておらず、グランド電位が不安定になっている。特に、木製、ガラス製又はプラスチック製の天板を有する机や段ボール箱などのように、載置面の直下が中空になっている非導電性材料からなる載置台上に携帯電話機１が載置されている場合、グランド電位が不安定になる。
【００３３】
図３は、充電中の携帯電話機１が示されている。図３の携帯電話機１は、操作面を上に向けて机上に載置されている点で、図２の場合と同様であるが、外部機器に接続されている点で、図２の場合とは異なる。図３の携帯電話機１は、電源ケーブル２１を介してＡＣアダプタ２２に接続され、ＡＣアダプタ２２は、商用電源のコンセントに接続されている。このため、図３の携帯電話機１は、外部端子１５及び電源ケーブル２１を介して、大地にアースされており、グランド電位は安定している。
【００３４】
後述する通り、携帯電話機１のグランド電位が不安定になれば、ユーザ操作時に取得できるタッチパネル１１の検出値が小さくなり、ユーザ操作を検出することができなくなる。このため、図１及び図３の状態では、ユーザ操作を良好に検出することができるが、図２の状態では、同じユーザ操作を検出することができなくなる。そこで、本実施の携帯による携帯電話機１では、グランド電位の安定度を判別し、タッチパネル１１の検出感度を調整することにより、図１〜図３のいずれの状態であっても、良好にユーザ操作を検出している。
【００３５】
図４のステップＳ１０１〜Ｓ１０４は、本発明の実施の形態による感度調整処理の一例を示したフローチャートである。この感度調整処理は一定の時間間隔で実行されるものであってもよいし、ユーザ操作に基づいて実行されるものであってもよい。
【００３６】
まず、外部端子１５に外部機器が接続されているか否かが判別される（ステップＳ１０１）。その結果、外部機器が接続されていれば、グランド電位は安定していると判断することができる。このため、タッチパネル１１の検出感度を「低感度」に設定し、当該感度調整処理を終了する（ステップＳ１０２）。
【００３７】
ステップＳ１０１において、外部機器が接続されていなければ、次に、加速度センサが測定した加速度を予め定められた判定閾値と比較する（ステップＳ１０３）。その結果、加速度が判定閾値以上であれば、携帯電話機１は移動又は振動していると判断することができる。この場合、ユーザによって携帯されている図１の状態であり、グランド電位は安定していると判断することができる。このため、タッチパネル１１の検出感度を「低感度」に設定し、当該感度調整処理を終了する（ステップＳ１０２）。
【００３８】
ステップＳ１０３において、加速度が判定閾値未満であれば、携帯電話機１は、移動も振動もしておらず、ユーザによって携帯されていないと判断することができる。しかも、外部機器とも接続されていないため、グランド電位が不安定になっていると判断することができる。このため、検出感度を「高感度」に設定し、当該感度調整処理を終了する（ステップＳ１０４）。
【００３９】
要するに、この感度調整処理では、加速度センサの検出結果と、外部機器との接続状態とに基づいて、グランド電位が安定しているか否かを判別し、この判別結果に基づいて、タッチパネル１１の感度調整を行っている。感度調整は、低感度及び高感度の２種類の検出感度を切り替えることにより行われ、ユーザが携帯し、あるいは、外部機器が接続されている場合には低感度になり、ユーザが携帯しておらず、かつ、外部機器が接続されていない場合には高感度になる。低感度は従来のタッチパネル１１の通常の検出感度であり、高感度は低感度よりも高い感度であり、いずれも予め定められている。
【００４０】
なお、ステップＳ１０３における比較は、最新の加速度と判定閾値との比較を行うものであってもよいが、予め定められた一定の判定時間内に検出された最大の加速度と判定閾値とを比較するものであってもよい。つまり、加速度が判定閾値を下回る状態が、判定時間を超えて継続している場合には、検出感度を「高感度」に設定し、それ以外の場合には、検出感度を「低感度」に設定するものであってもよい。
【００４１】
図５は、本実施の形態による感度調整処理に関する状態遷移図であり、図４の感度調整処理によって、検出感度が、状態Ｓ１及びＳ２の間を遷移する様子が示されている。状態Ｓ１は、タッチパネル１１の検出感度が低い状態（低感度の状態）であり、状態Ｓ２は、タッチパネル１１の検出感度が高い状態（高感度の状態）である。
【００４２】
ここでは、ユーザのタッチ操作を判別するためにタッチパネル１１の検出値と比較する検出閾値を変化させることにより、感度調整を行っている。つまり、状態Ｓ１，Ｓ２は、ユーザ操作を判別するための検出閾値が互いに異なっており、高感度用の検出閾値は、低感度用の検出閾値よりも小さい。また、ここでいう低感度は、高感度との比較であり、感度調整を行わない従来のタッチパネル１１において用いられる検出感度と同一であってもよい。
【００４３】
低感度の状態Ｓ１において、外部機器が未接続の状態、かつ、加速度が判定閾値未満の状態が検出されると、高感度の状態Ｓ２に遷移する。一方、高感度の状態Ｓ２において、外部機器が接続されている状態、あるいは、加速度が判定閾値以上の状態が検出されると、低感度の状態Ｓ１に遷移する。
【００４４】
図６及び図７は、本発明の原理を説明するための説明図である。図６は、タッチパネル１１におけるタッチ操作の検出原理を模式的に示した説明図である。相互容量検出方式のタッチパネルは、送信電極３１及び受信電極３２を備え、送信電極３１及び受信電極３２間の相互容量を検出している。この相互容量は、タッチパネル１１にユーザの指３３を近づけることによって減少するため、その減少量を検出値として求め、当該検出値を検出閾値と比較することにより、ユーザによるタッチ操作を判別することができる。
【００４５】
図６（ａ）には、タッチ操作が行われていないときに送信電極３１及び受信電極３２間に形成される電界が示されている。図６（ｂ）には、タッチ操作が行われているときに送信電極３１、受信電極３２間に形成される電界が示されている。
【００４６】
タッチ操作が行われている図６（ｂ）の場合、送信電極３１及び受信電極３２間だけでなく、送信電極３１及び指３３間にも電界が形成される。このため、タッチ操作が行われていない図６（ａ）の場合に比べて、送信電極３１及び受信電極３２間の電界が減少する。つまり、送信電極３１及び受信電極３２の相互容量が減少する。この相互容量の減少量を検出値として取得し、この検出値を検出閾値と比較すれば、タッチ操作が行われていることを検出することができる。
【００４７】
送信電極３１及び受信電極３２間の電界は、受信電極３２をグランド電位にし、送信電極３１に駆動信号を印加することによって形成される。このとき、受信電極３２に蓄積される電荷量を検出すれば、送信電極３１及び受信電極３２の間の相互容量を求めることができる。なお、ユーザの指３３は人体を介して大地にアースされているため、送信電極３１に指３３を近づければ、グランド電位の受信電極３２の場合と全く同様にして、指３３への電界も形成される。
【００４８】
図７は、タッチパネル１１のグランド電位と検出値との関係を説明するための説明図である。グランド電位が不安定になると検出値が小さくなる現象は、次のような原理によるものと考えられる。
【００４９】
図７（ａ）は、タッチパネル１１のグランド電極が大地にアースされ、グランド電位が安定している状態において、タッチ操作が行われたときの様子が示されている。送信電極３１及び受信電極３２の間に容量Ｃ１が形成され、送信電極３１及び指３３の間には、容量Ｃ２が形成されている。容量Ｃ２は非操作時には存在しない容量であるため、容量Ｃ１は、非操作時よりも小さい値になる。このとき、受信電極３２及び指３３の間の容量Ｃ３は、タッチパネル１１のグランド電極と指３３がいずれも大地にアースされて同電位となっているため、無視することができる。
【００５０】
図７（ｂ）は、タッチパネル１１のグランド電極が大地にアースされておらず、グランド電位が不安定な状態において、タッチ操作が行われたときの様子が示されている。図７の（ａ）と比較すれば、容量Ｃ１及びＣ２が形成される点は同様であるが、容量Ｃ３を無視できない点で異なる。
【００５１】
図７（ｂ）では、タッチパネル１１のグランド電極が大地にアースされておらず、大地にアースされている指３３との間に容量Ｃ４が存在する。このため、受信電極３２及び指３３間に無視できない容量Ｃ３が存在し、操作時における送信電極３１及び受信電極３２間の容量を増大させる。その結果、図７（ａ）の場合に比べて、非操作時に対する相互容量の減少量が少なくなり、グランド電位が安定している図７（ａ）の場合には検出できるユーザ操作が、グランド電位が安定していない図７（ｂ）の場合には検出できなくなる場合がある。
【００５２】
図８は、携帯電話機１の内部構成の要部について一例を示した機能ブロック図である。この携帯電話機１は、外部端子１５、接続状態判別部５１、加速度センサ５２、携帯状態判別部５３、感度調整部５４、電極部５５及び制御部５６からなる。電極部５５及び制御部５６は、図１のタッチパネル１１を構成している。
【００５３】
接続状態判別部５１は、外部端子１５を監視し、外部機器との接続状態を判別し、外部接続状態ｄ１として感度調整部５４へ出力する。外部機器は、電源ケーブルを介して接続された電源装置であってもよいし、信号ケーブルを介して接続された他の情報端末であってもよい。ここでは、接続状態の検出方法は問わないが、外部端子１５に導電性ケーブルのみが接続され、当該導電性ケーブルに外部装置が接続されていない状態を非接続状態と判別するために、外部装置との電気的な導通状態を検出することが望ましい。
【００５４】
加速度センサ５２は、携帯電話機１に加えられる加速度を検出するセンサであり、周知のセンサが用いられる。
【００５５】
携帯状態判別部５３は、加速度センサ５２から出力される加速度に基づいて、携帯電話機１が移動又は振動しているか否かを判別する。そして、移動又は振動していれば、ユーザが携帯していると判断し、移動も振動もしていなければ、ユーザが携帯していないと判断する。ユーザが携帯しているか否かの判別結果は、携帯状態ｄ２として感度調整部５４へ出力される。ここでは、加速度を判定閾値（状態判別閾値）と比較し、加速度が判定閾値以上であれば、ユーザが携帯していると判断し、加速度が判定閾値未満であれば、ユーザが携帯していないと判断する。なお、判定閾値は予め定められた値である。
【００５６】
感度調整部５４は、接続状態判別部５１の外部接続状態と、携帯状態判別部５３の携帯状態とに基づいて、検出閾値Ｄｔｈを決定する。検出閾値Ｄｔｈは、予め定められた２以上の閾値候補のいずれか一つを選択することにより決定される。ここでは、互いに異なる２つの閾値候補のうち、いずれか一つを選択することにより、タッチパネル１１の検出感度を低感度又は高感度に切り替えている。
【００５７】
電極部５５は、タッチパネル１１の表示面内に配置された多数の送信電極３１及び多数の受信電極３２からなる。
【００５８】
制御部５６は、タッチパネル１１の制御回路であり、送信電極３１及び受信電極の相互容量を検出し、検出された相互容量の変化に基づいて、タッチ操作を判別し、操作信号を生成する。この制御部５６は、電極駆動部６１、容量検出部６２、変化量算出部６３及び閾値判定部６４からなる。
【００５９】
電極駆動部６１は、受信電極３２をグランド電位にし、送信電極３１に対し、パルス信号からなる駆動信号を印加し、送信電極３１及び受信電極３２間に電界を形成する。容量検出部６２は、送信電極３１及び受信電極３２間の相互容量Ｃ１を取得する。この相互容量Ｃ１は、電界形成により受信電極３２に蓄積された電荷を計測することによって取得される。変化量算出部６３は、容量検出部６２が求めた相互容量Ｃ１に基づいて、検出値Ｄを求めている。検出値Ｄは、相互容量Ｃ１の変化量であり、過去に計測された非操作時の相互容量Ｃ１と、最新の相互容量Ｃ１との差分として求められる。
【００６０】
閾値判定部６４は、変化量算出部６３が求めた検出値Ｄと、感度調整部５４が指定した検出閾値Ｄｔｈとを比較し、この比較結果に基づいて操作信号を生成する。すなわち、検出値Ｄが検出閾値Ｄｔｈ以上であれば、タッチ操作が行われたと判断し、検出閾値Ｄｔｈ未満であれば、タッチ操作は行われていないと判断する。検出閾値Ｄｔｈは、感度調整部５４が指定する閾値であり、高感度用の方がより小さな値からなり、低感度用の方がより大きな値からなる。
【００６１】
本実施の携帯による携帯電話機１は、タッチ操作を検出するための静電容量方式のタッチパネル１１と、加速度を検出するための加速度センサ５２と、加速度に基づいて、ユーザが携帯しているか否かを携帯状態ｄ２として判別する携帯状態判別部５３と、携帯状態ｄ２に基づいてタッチパネル１１の検出感度を調整する感度調整部５４とを備えている。
【００６２】
このため、加速度に基づいてユーザが携帯しているか否かを判別し、グランド電位の安定度を推定することができる。従って、この判別結果に基づいて、タッチパネル１１の検出感度を調整すれば、グランド電位の安定度にかかわらず、タッチパネル１１に対するタッチ操作を適切に検出することができる。
【００６３】
また、本実施の携帯による携帯電話機１は、タッチ操作を検出するための静電容量方式のタッチパネル１１と、外部機器が着脱可能に接続される外部端子１５と、外部端子１５に外部機器が接続されているか否かを外部接続状態ｄ１として判別する接続状態判別部５１と、外部接続状態ｄ１に基づいてタッチパネル１１の検出感度を調整する感度調整部５４とを備えている。
【００６４】
このため、外部機器が接続されているか否かを判別し、グランド電位の安定度を推定することができる。従って、この判別結果に基づいて、タッチパネル１１の検出感度を調整すれば、グランド電位の安定度にかかわらず、タッチパネル１１に対するタッチ操作を適切に検出することができる。
【００６５】
さらに、本実施の携帯による携帯電話機１は、感度調整部５４が、外部接続状態ｄ１及び携帯状態ｄ２に基づいて、タッチパネル１１の検出感度を調整している。このため、グランド電位の安定度にかかわらず、タッチパネル１１に対するタッチ操作を適切に検出することができる。
【００６６】
なお、上記実施の形態では、感度調整部５４が、外部接続状態ｄ１及び携帯状態ｄ２に基づいてタッチパネル１１の検出感度を調整する場合の例について説明したが、本発明は、この様な場合のみに限定されない。例えば、感度調整部５４が、携帯状態ｄ２のみに基づいてタッチパネル１１の検出感度を調整するものであってもよい。また、外部接続状態ｄ１以外の判別結果と組み合わせて、タッチパネル１１の検出感度を調整するものであってもよい。
【符号の説明】
【００６７】
１０    筐体
１１    タッチパネル
１２    レシーバ
１３    マイクロフォン
１４    操作キー
１５    外部端子
３１    送信電極
３２    受信電極
３３    指
５１    接続状態判別部
５２    加速度センサ
５３    携帯状態判別部
５４    感度調整部
５５    電極部
５６    制御部
６１    電極駆動部
６２    容量検出部
６３    変化量算出部
６４    閾値判定部
ｄ１    外部接続状態
ｄ２    携帯状態
Ｃ１〜Ｃ４  容量
Ｄ      検出値
Ｄｔｈ    検出閾値
【図１】
2014002547.tif 000003
【図２】
2014002547.tif 000004
【図３】
2014002547.tif 000005
【図４】
2014002547.tif 000006
【図５】
2014002547.tif 000007
【図６】
2014002547.tif 000008
【図７】
2014002547.tif 000009
【図８】
2014002547.tif 000010